(57)【要約】【課題】撮影目的に応じて最適な撮影・記録条件を自動設定することができる撮影装置を提供する。【解決手段】記録様式設定データにはスケジュールに応じて設定すべき記録様式が登録されている。スケジュールデータが入力されると、そのスケジュールが登録されている時間帯に設定すべき記録様式が記録様式設定データから決定され、時間ごとに設定すべき記録様式が設定された記録様式設定スケジュールが作成される。この記録様式設定スケジュールに応じて記録メディアに記録する画像の記録様式が自動的に切り替えられる。【選択図】      図７
2005080058.tif 000002
【特許請求の範囲】
【請求項１】
撮影により取得された画像データを設定された記録様式に変換して記録媒体に記録する撮影装置において、
現在日時を計測する計時手段と、
指定された日時のスケジュールがスケジュールデータとして記憶されるスケジュールデータ記憶手段と、
スケジュールに応じて設定すべき記録様式の一覧が記録様式設定データとして記録された記録様式設定データ記憶手段と、
前記スケジュールデータ記憶手段に記憶されたスケジュールデータと前記記録様式設定データ記憶手段に記憶された記録様式設定データとに基づいて記録様式の設定スケジュールを作成する記録様式設定スケジュール作成手段と、
前記記録様式設定スケジュール作成手段で作成された記録様式の設定スケジュールを記憶する記録様式設定スケジュール記憶手段と、
前記計時手段により計測される現在日時に基づき前記記録様式設定スケジュール記憶手段に記憶された記録様式の設定スケジュールに応じて前記記録媒体に記録する画像データの記録様式を設定する記録様式設定手段と、
を備えたことを特徴とする撮影装置。
【請求項２】
設定された撮影条件に従って撮影制御が行なわれる撮影装置において、
現在日時を計測する計時手段と、
指定された日時のスケジュールがスケジュールデータとして記憶されるスケジュールデータ記憶手段と、
スケジュールに応じて設定すべき撮影条件の一覧が撮影条件設定データとして記録された撮影条件設定データ記憶手段と、
前記スケジュールデータ記憶手段に記憶されたスケジュールデータと前記撮影条件設定データ記憶手段に記憶された撮影条件設定データとに基づいて撮影条件の設定スケジュールを作成する撮影条件設定スケジュール作成手段と、
前記撮影条件設定スケジュール作成手段で作成された撮影条件の設定スケジュールを記憶する撮影条件設定スケジュール記憶手段と、
前記計時手段により計測される現在日時に基づき前記撮影条件設定スケジュール記憶手段に記憶された撮影条件の設定スケジュールに応じて撮影条件を設定する撮影条件設定手段と、
を備えたことを特徴とする撮影装置。
【請求項３】
前記スケジュールデータ記憶手段には、外部機器で作成したスケジュールデータが記憶されることを特徴とする請求項１又は２に記載の撮影装置。
【発明の詳細な説明】
【技術分野】
【０００１】
本発明は撮影装置に係り、特に複数種類の記録モードで画像を記録媒体に記録する撮影装置に関する。
【背景技術】
【０００２】
撮影画像をデジタルデータとして記録メディアに記録する電子カメラでは、撮影可能な写真の数は記録媒体の容量に依存する。このため、多くの電子カメラには、記録メディアに記録する画像の記録様式、すなわち解像度（サイズ）と圧縮率とを切り替える機能が備えられている。
【０００３】
しかしながら、この記録様式の切り替えは、通常、メニュー画面から呼び出して行なわなければならず、設定に手間がかかるという問題があった。
【０００４】
そこで、特許文献１では、撮影した画像を記録メディアに記録する前、一旦モニタに撮影画像を表示し、その撮影画像に対する記録様式をユーザに選択させてから、画像を記録メディアに記録することが提案されている。また、ユーザが画像の使用目的を設定すると、その使用目的に応じた記録様式に自動的に変換して撮影画像を記録メディアに記録することが提案されている。
【特許文献１】特開平１１−１９１８７３号公報
【発明の開示】
【発明が解決しようとする課題】
【０００５】
しかしながら、特許文献１の方法では、撮影のたびに記録様式の選択操作をしなければならず、操作性が悪いという欠点がある。
【０００６】
本発明は、このような事情に鑑みてなされたもので、撮影目的に応じて最適な撮影・記録条件を自動設定することができる撮影装置を提供することを目的とする。
【課題を解決するための手段】
【０００７】
請求項１に係る発明は、前記目的を達成するために、撮影により取得された画像データを設定された記録様式に変換して記録媒体に記録する撮影装置において、現在日時を計測する計時手段と、指定された日時のスケジュールがスケジュールデータとして記憶されるスケジュールデータ記憶手段と、スケジュールに応じて設定すべき記録様式の一覧が記録様式設定データとして記録された記録様式設定データ記憶手段と、前記スケジュールデータ記憶手段に記憶されたスケジュールデータと前記記録様式設定データ記憶手段に記憶された記録様式設定データとに基づいて記録様式の設定スケジュールを作成する記録様式設定スケジュール作成手段と、前記記録様式設定スケジュール作成手段で作成された記録様式の設定スケジュールを記憶する記録様式設定スケジュール記憶手段と、前記計時手段により計測される現在日時に基づき前記記録様式設定スケジュール記憶手段に記憶された記録様式の設定スケジュールに応じて前記記録媒体に記録する画像データの記録様式を設定する記録様式設定手段と、を備えたことを特徴とする撮影装置を提供する。
【０００８】
本発明によれば、スケジュールデータ記憶手段に記憶されたスケジュールデータと記録様式設定データ記憶手段に記憶された記録様式設定データとに基づいて記録様式の設定スケジュールが作成され、その作成された記録様式の設定スケジュールに従って記録メディアに記録する画像の記録様式が自動的に設定される。これにより、記録様式を設定する煩わしさがなくなり、常に最適な記録条件の下で撮影を行なうことができる。
【０００９】
請求項２に係る発明は、前記目的を達成するために、設定された撮影条件に従って撮影制御が行なわれる撮影装置において、現在日時を計測する計時手段と、指定された日時のスケジュールがスケジュールデータとして記憶されるスケジュールデータ記憶手段と、スケジュールに応じて設定すべき撮影条件の一覧が撮影条件設定データとして記録された撮影条件設定データ記憶手段と、前記スケジュールデータ記憶手段に記憶されたスケジュールデータと前記撮影条件設定データ記憶手段に記憶された撮影条件設定データとに基づいて撮影条件の設定スケジュールを作成する撮影条件設定スケジュール作成手段と、前記撮影条件設定スケジュール作成手段で作成された撮影条件の設定スケジュールを記憶する撮影条件設定スケジュール記憶手段と、前記計時手段により計測される現在日時に基づき前記撮影条件設定スケジュール記憶手段に記憶された撮影条件の設定スケジュールに応じて撮影条件を設定する撮影条件設定手段と、を備えたことを特徴とする撮影装置を提供する。
【００１０】
本発明によれば、スケジュールデータ記憶手段に記憶されたスケジュールデータと撮影条件設定データ記憶手段に記憶された撮影条件設定データとに基づいて撮影条件の設定スケジュールが作成され、その作成された撮影条件の設定スケジュールに従って撮影条件が自動的に設定される。これにより、撮影条件を設定する煩わしさがなくなり、常に最適な撮影条件の下で撮影を行なうことができる。
【００１１】
また、請求項３に係る発明は、前記目的を達成するために、前記スケジュールデータ記憶手段には、外部機器で作成したスケジュールデータが記憶されることを特徴とする請求項１又は２に記載の撮影装置を提供する。
【００１２】
本発明によれば、たとえばＰＣ（Personal Computer ）やＰＤＡ（Personal Digital Assistant）、携帯電話機等で作成したスケジュールデータを電子機器に取り込み、そのスケジュールデータに基づいて出力フォーマットの切替スケジュールが設定される。
【発明の効果】
【００１３】
本発明によれば、スケジュールに応じて記録様式、撮影条件が自動的に設定されるので、面倒な設定を行なう手間がなくなり、取り扱いが容易になる。また、常に最適な記録様式、撮影条件の下で撮影を行なうことができる。
【発明を実施するための最良の形態】
【００１４】
以下、添付図面に従って本発明に係る撮影装置の好ましい実施の形態について詳説する。
【００１５】
図１〜図４は、それぞれ本発明が適用された電子カメラ１０の一実施形態を示す正面図、左側面図、背面図、右側面図である。
【００１６】
カメラボディ１２の正面には、図１に示すように、撮影レンズ１４、ストロボ１６、ストロボ調光センサ１８、バッテリカバー２０等が設けられている。
【００１７】
撮影レンズ１４は、沈胴式のズームレンズで構成されており、カメラの電源を投入すると、カメラボディ１２から繰り出される。
【００１８】
開閉自在に設けられたバッテリカバー２０の内側には、図示しないバッテリ収納室が設けられており、このバッテリ収納室にバッテリが装填される。
【００１９】
カメラボディ１２の左側面には、図２に示すように、レリーズボタン２２、ズームレバー２４、ストロボボタン２６、マクロボタン２８等が設けられている。
【００２０】
レリーズボタン２２は、いわゆる「半押し」と「全押し」とからなる二段式のスイッチで構成されている。電子カメラ１０は、このレリーズボタン２２が半押しされると、ＡＥ／ＡＦが作動し、全押しされると、撮影が実行される。
【００２１】
ズームレバー２４は、撮影時に撮影画像のズーム（テレ／ワイド）を指示するボタンとして機能するとともに、再生時に表示画像のズーム（拡大／縮小）を指示するボタンとして機能する。このズームレバー２４は、上下方向にスライド自在に設けられており、上方向に操作することにより、ズームがテレ側（撮影時）又は拡大側（再生時）に操作され、下方向に操作することにより、ズームがワイド側（撮影時）又は縮小側（再生時）に操作される。
【００２２】
ストロボボタン２６は、撮影時にストロボモードの切り替えを指示するボタンとして機能し、マクロボタン２８は、撮影時にマクロ機能のＯＮ／ＯＦＦを指示するボタンとして機能する。
【００２３】
カメラボディ１２の背面には、図３に示すように、液晶モニタ３０、表示ボタン３２、メニュー／ＯＫボタン３４、十字ボタン３６、ＢＡＣＫボタン３８、電源ボタン４０、モードスイッチ４２、スピーカ４４等が設けられている。
【００２４】
モードスイッチ４２は、カメラのモードを切り替えるスイッチとして機能し、このモードスイッチ４２をスライド操作することにより、カメラのモードが「カメラモード」と「再生モード」のいずれか一方に設定される。ここで、「カメラモード」は、静止画撮影を行なうモードであり、「再生モード」は、そのカメラモードで撮影された撮影画像を液晶モニタ３０上に再生表示するモードである。
【００２５】
液晶モニタ３０は、再生モード時に撮影画像を表示して再生用モニタとして使用されるとともに、テレビモード時にテレビ映像を表示してテレビ用モニタとして使用される。また、カメラモード時には、撮影前のスルー画像を表示して電子ビューファインダとして使用され、各種設定時には、メニュー項目を表示してメニュー画面として使用される。
【００２６】
表示ボタン３２は、後述するように、この液晶モニタ３０の表示内容の切り替えを指示するボタンとして機能する。
【００２７】
メニュー／ＯＫボタン３４は、各モードの通常画面からメニュー画面への遷移を指示したり、選択内容の確定（登録）や処理実行（確認）を指示するボタンとして機能する。
【００２８】
十字ボタン３６は、上下左右四方向の指示を入力するボタンとして機能し、メニュー画面などから所望の項目を選択したり、各メニューにおける各種設定項目の選択内容を指示する際に使用される。
【００２９】
ＢＡＣＫボタン３８は、入力操作のキャンセル等を指示するボタンとして機能し、各種設定操作等を途中でやめるときなどに使用される。
【００３０】
カメラボディ１２の右側面には、図４に示すように、カメラをテレビに接続するための映像出力端子４６、ＰＣ等に接続するためのＵＳＢ端子４８、電源アダプタに接続するための電源入力端子４９等が設けられている。
【００３１】
カメラをテレビに接続する場合は、映像出力端子４６にビデオケーブルのコネクタを接続する。そして、そのビデオケーブルのピンプラグをテレビの映像入力端子に接続する。これにより、電子カメラ１０で撮影したスルー画像や記録メディアに記録された撮影済み画像をテレビの画面に映し出すことができる。
【００３２】
また、カメラをＰＣ等に接続する場合は、ＵＳＢ端子４８にＵＳＢケーブルの一方のコネクタを接続する。そして、ＵＳＢケーブルの他方側のコネクタをＰＣのＵＳＢ端子に接続する。これにより、ＰＣとの間で画像データを含むデータの送受信が可能になる。
【００３３】
また、カメラのバッテリを充電する場合は、電源入力端子４９に電源アダプタの接続プラグを接続する。これにより、バッテリ収納室に装填されたバッテリが充填される。
【００３４】
なお、図示しないカメラボディ１２の下面には、開閉自在なメディアカバーが設けられており、その内側に設けられたメディアスロットに記録メディアが装填される。そして、このメディアスロットに装填された記録メディアに画像データ等が記録される。
【００３５】
図５は電子カメラ１０の内部構成を示すブロック図である。同図に示すように、電子カメラ１０は、中央処理装置（ＣＰＵ）５０、ＲＯＭ５２、ＲＡＭ５４、ＥＥＰＲＯＭ５６、ＣＣＤ５８、アナログ処理部６０、Ａ／Ｄ変換器６２、画像入力コントローラ６４、画像処理部６６、圧縮伸張部６８、ＶＲＡＭ７８、ビデオエンコーダ８０、メモリコントローラ８２、記録メディア８４、ＵＳＢインターフェイス８６、タイマ８８等で構成されている。
【００３６】
ＣＰＵ５０は、所定のプログラムに従って電子カメラ全体の動作を統括制御する。すなわち、ＣＰＵ５０は、ＲＡＭ５４を作業領域としながら操作部（レリーズボタン２２、ズームレバー２４、ストロボボタン２６、マクロボタン２８、表示ボタン３２、メニュー／ＯＫボタン３４、十字ボタン３６、ＢＡＣＫボタン３８、電源ボタン４０、モードスイッチ４２等）９４から入力される操作信号に基づいて電子カメラ内の各回路を制御し、撮影制御、画像処理制御、通信制御、記録様式の切替制御、液晶モニタ３０の表示制御などを行う。ＲＯＭ５２には、このＣＰＵ５０が実行するプログラムや制御に必要な各種データなどが格納されている。また、ＥＥＰＲＯＭ５６には、ユーザが設定した各種設定データが記憶されている。
【００３７】
撮影レンズ１４を通過した光は、ＣＣＤ５８の受光面上に焦点を結ぶ。ＣＣＤ５８の受光面には、多数のフォトセンサ（受光素子）が平面的に配列されており、この受光面に結像された被写体像は、各フォトセンサによって入射光量に応じた量の信号電荷に変換される。各フォトセンサに蓄積された信号電荷は、タイミングジェネレータ（ＴＧ）９２から与えられる駆動パルスに基づいて信号電荷に応じた電圧信号（画像信号）として順次読み出される。
【００３８】
ＣＣＤ５８から読み出された画像信号は、アナログ処理部６０に送られ、ここで各画素ごとのＲ、Ｇ、Ｂ信号がサンプリングホールドされるとともに増幅される。アナログ処理部６０から出力されたアナログのＲ、Ｇ、Ｂ信号は、Ａ／Ｄ変換器６２でデジタルのＲ、Ｇ、Ｂ信号に変換されたのち、画像入力コントローラ６４を介してＲＡＭ５４に取り込まれ。
【００３９】
ＲＡＭ５４に取り込まれた画像データは、画像処理部６６に送られ、ここでホワイトバランスやガンマ補正、ＹＣ変換、ズーム処理、画像サイズの変換処理等の画像処理が施されたのち、ＶＲＡＭ７８に加えられる。
【００４０】
撮影中の映像を液晶モニタ３０に表示させる場合には、このＶＲＡＭ７８の内容がビデオエンコーダ８０に加えられ、ここで表示用の信号形式（たとえば、ＮＴＳＣ）に変換された後、液晶モニタ３０に出力される。これにより、ＣＣＤ５８で捉えたリアルタイム映像（スルー画像）が、液晶モニタ３０に表示される。撮影者は、この液晶モニタ３０の表示映像によって撮影画角（構図）を確認することができる。
【００４１】
なお、ビデオエンコーダ８０からの映像信号は、Ｄ／Ａ変換器９０を介して映像出力端子４６にも出力される。この映像出力端子４６にビデオケーブルのコネクタを接続し、ピンプラグをテレビの映像入力端子に接続することにより、ＣＣＤ５８で捉えたスルー画像がテレビに表示される。
【００４２】
カメラモードの下、ユーザがレリーズボタン２２を押すと、ＣＰＵ５０は、これを検知して、記録用の撮影動作を実行する。すなわち、レリーズボタン２２の押下に応動してＣＣＤ５８の露光制御及び電荷の読み出し制御を行なう。また、必要に応じてストロボ制御部９６を制御し、ストロボ１６の発光制御を行なう。
【００４３】
こうして取り込まれた記録用の画像データは、画像処理部６６でＹＣ処理その他の所定の信号処理を経たのち、圧縮伸張部６８に送られる。圧縮伸張部６８は、ＣＰＵ５０からのコマンドに従って入力された画像データを所定の圧縮フォーマットに従って圧縮し、この圧縮伸張部６８で圧縮された画像データが所定の画像ファイルとしてメモリコントローラ８２を介して記録メディア８４に格納される。
【００４４】
記録メディア８４に記録された画像ファイルは、再生モードの下、ユーザのファイル選択操作に応じて記録メディア８４から読み出される。記録メディア８４から読み出された画像データは、圧縮伸張部６８で伸張されたのち、ＶＲＡＭ７８を介してビデオエンコーダ８０に加えられる。そして、このビデオエンコーダ８０で表示用の信号形式に変換されたのち液晶モニタ３０に出力される。これにより、撮影した画像が液晶モニタ３０に表示される。
【００４５】
電子カメラ１０は、またＰＣやＰＤＡ、携帯電話機などの外部機器と接続するためのＵＳＢインターフェイス８６を備えている。ＵＳＢインターフェイス８６は、ＵＳＢケーブルを介してＵＳＢ端子４８に接続されたＰＣやＰＤＡ、携帯電話機などの外部機器との間で画像データを含むデータの双方向通信を行う。
【００４６】
また、電子カメラ１０は、現在日時を計測するためのタイマ８８を備えており、このタイマ８８から得られた日時情報に基づいて撮影日時のデータが画像データと共に画像ファイルに記録される。
【００４７】
また、操作部９４で時計の表示を指示する操作がなされると、ＣＰＵ５０は、このタイマ８８から出力される現在の日時情報に基づいて液晶モニタ３０に日付や時間等を表示させる。
【００４８】
さらに、操作部９４でスケジュールの表示を指示する操作がなされると、ＣＰＵ５０は、ＥＥＰＲＯＭ５６に格納されたスケジュールデータを読み出し、図６に示すように、液晶モニタ３０にスケジュールの画面を表示する。
【００４９】
ここで、スケジュールの表示指示は、たとえばメニュー画面から行うものとし、メニュー／ＯＫボタン３４で液晶モニタ３０にメニュー画面を呼び出し、表示されたメニュー項目の中からスケジュールの表示を選択すると、図６（ａ）に示すように、液晶モニタ３０にカレンダーが１ヶ月単位で表示される。そして、現在日がカーソルで点滅表示される。この状態でユーザが、十字ボタン３６を押すと、カーソルが移動するので、スケジュールを確認したい日にカーソルを移動させ、メニュー／ＯＫボタン３４を押すと、図６（ｂ）に示すように、その日に登録したスケジュールが液晶モニタ３０に表示される。
【００５０】
このスケジュールは、ＰＣやＰＤＡ、携帯電話機等の外部機器で作成され、分単位で期間を指定して登録できるようにされている。そして、ＰＣ等で作成されたスケジュールデータは、ＵＳＢインターフェイス８６を介して電子カメラ１０に取り込まれ、ＥＥＰＲＯＭ５６に格納される。
【００５１】
さて、上記のように本実施の形態の電子カメラ１０は、撮影した画像に対して画像サイズの変換処理及び圧縮処理を施すことができるようにされており、これにより、記録メディア８４を有効利用できるようにしている。
【００５２】
ここで、本実施の形態の電子カメラ１０では、画像サイズとして、２８３２×２１２８ピクセルの『６Ｍ』と、２０４８×１５３６ピクセルの『３Ｍ』と、１２８０×９６０ピクセルの『１Ｍ』と、６４０×４８０ピクセルの『０．３Ｍ』の４つの画像サイズを選択できるようにされており、また、圧縮率として、低圧縮率の『ＦＩＮＥ』と通常圧縮率の『ＮＯＭＡＬ』とを選択できるようにされている。
【００５３】
この選択処理は、たとえばメニュー画面から行うものとし、メニュー／ＯＫボタン３４で液晶モニタ３０にメニュー画面を呼び出し、表示されたメニュー項目の中から記録様式の設定（画像サイズと圧縮率の設定）を選択すると、図７に示すように、液晶モニタ３０に画像サイズと圧縮率の設定画面が表示される。ユーザは、十字ボタン３６を操作することにより、カーソルを移動させて、画像サイズと圧縮率の設定を行なう。
【００５４】
このようにして設定された記録様式の情報は、ＥＥＰＲＯＭ５６の記録様式設定領域に記録される。ＣＰＵ５０は、このＥＥＰＲＯＭ５６に記録された情報に基づいて画像処理部５６及び圧縮伸張部６８を制御して、撮影した画像データを設定された記録様式で記録メディア８４に記録する。
【００５５】
ところで、画像の記録様式は、画像の使用目的に応じて適宜設定されるが、ユーザが、その設定をし忘れると、意図しない記録様式で画像が記録されてしまうおそれがある。
【００５６】
そこで、本実施の形態の電子カメラ１０では、画像の使用目的に応じて最適な記録様式に自動で切り替えるべくスケジュールデータを利用して記録メディア８４に記録する画像の記録様式を設定する。以下、この記録様式の自動設定について説明する。
【００５７】
記録様式の設定は、ＥＥＰＲＯＭ５６に記録された「記録様式設定スケジュール」に従って行なわれる。ＣＰＵ５０は、このＥＥＰＲＯＭ５６に記録された「記録様式設定スケジュール」に従って記録様式の設定を行なう。
【００５８】
「記録様式設定スケジュール」は、図８（ｃ）に示すように、単位時間ごとに設定する記録様式を定めたもので「スケジュールデータ」と「記録様式設定データ」とに基づいて作成される。
【００５９】
「記録様式設定データ」は、図８（ｂ）に示すように、スケジュールデータに登録されたスケジュールの内容ごとに設定すべき記録様式を定めたものであり、ＥＥＰＲＯＭ５６に記録されている。
【００６０】
ＣＰＵ５０は、「スケジュールデータ」が入力されると、その「スケジュールデータ」に登録されている各スケジュールが、どの記録様式に該当するか、「記録様式設定データ」に基づいて判定する。そして、そのスケジュールが登録された時間帯の記録様式が判定した記録様式になるように「記録様式設定スケジュール」を作成する。
【００６１】
たとえば、図８（ａ) に示す「スケジュールデータ」の場合、「記録様式設定データ」に基づいて出力フォーマット切替データを作成すると、２００３年８月１日の１０：００−１１：００に登録されている「商談」は、記録様式設定データによると『１Ｍ・ＮＯＲＭＡＬ』に設定されているので、このスケジュールが登録された日時、すなわち２００３年８月１日の１０：００−１１：００は、記録様式が『１Ｍ・ＮＯＲＭＡＬ』になるように記録様式設定スケジュールが作成される（記録様式設定スケジュールの２００３年８月１日、１０：００−１１：００に『１Ｍ・ＮＯＲＭＡＬ』が登録される。）。
【００６２】
２００３年８月５日の１４：００−１６：００と２００３年８月７日の１４：００−１８：００に登録されたスケジュールも「商談」であるので、２００３年８月５日の１４：００−１６：００と２００３年８月７日の１４：００−１８：００も同様に記録様式が『１Ｍ・ＮＯＲＭＡＬ』になるように記録様式設定スケジュールが作成される（記録様式設定スケジュールの２００３年８月５日、１４：００−１６：００と２００３年８月７日、１４：００−１８：００に『１Ｍ・ＮＯＲＭＡＬ』が登録される。）。
【００６３】
また、２００３年８月３日の９：００−１７：００に登録されている「撮影会」は、記録様式設定データによると『６Ｍ・ＦＩＮＥ』に設定されているので、２００３年８月３日の９：００−１７：００は、記録様式が『６Ｍ・ＦＩＮＥ』になるように記録様式設定スケジュールが作成される（記録様式設定スケジュールの２００３年８月３日、９：００−１７：００に『６Ｍ・ＦＩＮＥ』が登録される。）。
【００６４】
また、２００３年８月１０日の9 ：００−２１：００のスケジュールに登録されている「旅行」は、記録様式設定データによると『６Ｍ・ＦＩＮＥ』に設定されているので、２００３年８月１０日の９：００−２１：００も同様に記録様式が『６Ｍ・ＦＩＮＥ』になるように記録様式設定スケジュールが作成される（記録様式設定スケジュールの２００３年８月１０日、９：００−２１：００に『６Ｍ・ＦＩＮＥ』が登録される。）。
【００６５】
一方、２００３年８月２日の９：００−１２：００に登録された「定例会」は、記録様式設定データに登録されていないので、記録様式設定スケジュールに記録様式の登録は行なわれず、この時間帯、すなわち、２００３年８月２日、９：００−１２：００の記録様式設定スケジュールは空欄となる。
【００６６】
このように、スケジュールデータに登録された各スケジュールごとに設定すべき記録様式を決定し、記録様式設定スケジュールを作成する。なお、スケジュールデータは、たとえば１年分を登録できるようになっており、記録様式設定スケジュールもスケジュールデータに対応して１年分が登録できるようになっている。
【００６７】
ＣＰＵ５０は、この記録様式設定スケジュールに従って画像の記録様式を自動設定する。なお、記録様式設定スケジュールに登録されていない時間帯の記録様式は、そのとき設定されている記録様式で画像データが記録される。
【００６８】
前記のごとく構成された本実施の形態の電子カメラ１０の作用は次のとおりである。
【００６９】
電子カメラ１０は、「スケジュールデータ」から作成された「記録様式設定スケジュール」に従って記録メディア８４に記録する画像の記録様式を自動切替する。まず、この「記録様式設定スケジュール」の作成手順を説明する。
【００７０】
スケジュールデータは、ＰＣ等の外部機器で作成したものを電子カメラ１０に取り込む。スケジュールデータの取り込みは、カメラボディ１２に設けられたＵＳＢ端子４８を用いて行なう。すなわち、電子カメラ１０のＵＳＢ端子４８とＰＣ等のＵＳＢ端子をＵＳＢケーブルで接続し、ＵＳＢインターフェイス８６を介してＰＣ等からスケジュールデータを取得する。取得したスケジュールデータは、ＥＥＰＲＯＭ５６に記録される。この際、古いスケジュールデータが残されている場合は、新たなスケジュールデータに書き換えられる。
【００７１】
スケジュールデータが取得されると、ＣＰＵ５０は、そのスケジュールデータに基づき記録様式設定スケジュールを更新する。すなわち、スケジュールデータに登録されている各スケジュールの内容から、そのスケジュールが登録された時間帯に設定すべき記録様式を「記録様式設定データ」から求め、「記録様式設定スケジュール」を作成する。そして、作成した「記録様式設定スケジュール」をＥＥＰＲＯＭ５６に記録する。
【００７２】
以上の処理をスケジュールデータが入力されるたびに実行し、そのたびに「記録様式設定スケジュール」を更新する。そして、このように作成された「記録様式設定スケジュール」に従ってＣＰＵ５０は、記録メディア８４に記録する画像の記録様式を自動的に切り替える。この記録様式の切り替えは次のように行なわれる。
【００７３】
まず、ＣＰＵ５０は、タイマ８８から現在日時の情報の情報を取得し、記録様式の設定スケジュールの有無を判定する。すなわち、タイマ８８から取得した時間帯に記録様式の設定スケジュールが登録されているか否かを「記録様式設定スケジュール」に基づいて判定する。
【００７４】
そして、記録様式が設定されている場合は、現在の記録様式の設定情報をＥＥＰＲＯＭ５６の記録様式保存領域に格納し、「記録様式設定スケジュール」に登録されている記録様式をＥＥＰＲＯＭ５６の記録様式設定領域に記録する。これにより、「記録様式設定スケジュール」に登録された記録様式で画像データが記録されるように設定される。
【００７５】
ＣＰＵ５０は、この新たに設定された記録様式に従って撮影により取得した画像データを記録メディアに記録する。すなわち、新たに設定された記録様式に規定された画像サイズで撮影画像が記録メディアに記録されるように、画像処理部６６にコマンドを出力するとともに、新たに設定された記録様式に規定された圧縮率で撮影画像が記録メディアに記録されるように、圧縮伸張部６８にコマンドを出力する。これにより、「記録様式設定スケジュール」に登録され記録様式で撮影画像が記録メディア８４に記録される。
【００７６】
このように、ＣＰＵ５０は、タイマ８８から取得した日時に記録様式の設定スケジュールが登録されている場合には、その記録様式で画像が記録されるように、画像の記録様式を切り替える。
【００７７】
一方、タイマ８８から取得した日時に記録様式の設定スケジュールが登録されていない場合には、現在の設定をそのまま使用する。
【００７８】
この記録様式の切り替えの有無は分単位で判定され、ＣＰＵ５０は、分単位でその時間帯に記録様式の設定スケジュールが登録されているか否かを「記録様式設定スケジュール」に基づいて判定する。
【００７９】
そして、記録様式の設定スケジュールが終了している場合には、ＥＥＰＲＯＭ５６の記録様式保存領域に格納していた切り替え前の記録様式をＥＥＰＲＯＭ５６の記録様式設定領域に記録し、元の記録様式で画像データが記録されるように設定する。
【００８０】
また、連続して記録様式の設定スケジュールが登録されている場合には、そのスケジュールに登録された記録様式をＥＥＰＲＯＭ５６の記録様式設定領域に記録し、その時間帯に登録された記録様式で画像データが記録されるように設定を変更する。
【００８１】
なお、本実施の形態では、スケジュールを分単位で入力できるように設定されていることから、分単位で記録様式設定スケジュールを作成し、分単位で記録様式の切り替えの有無を判定しているが、スケジュールを１時間単位で入力するように設定されている場合には、１時間単位で記録様式設定スケジュールを作成し、１時間単位で記録様式の切り替えの有無を判定する。同様にスケジュールを３０分単位で入力するように設定されている場合には、３０分単位で記録様式設定スケジュールを作成し、３０分単位で記録様式の切り替えの有無を判定する。
【００８２】
このように、本実施の形態の電子カメラ１０によれば、スケジュールデータを入力すると、そのスケジュールデータに応じて記録様式が自動的に切り替えられる。これにより、面倒な設定を行なうことなく、また、設定変更のし忘れなども生じさせることなく、目的に応じた記録様式に簡単に切り替えることができる。
【００８３】
なお、本実施の形態では、スケジュールデータをＰＣやＰＤＡ等の外部機器から取得するようにしているが、電子カメラでスケジュールの入力ができるようにしてもよい。この場合、たとえば、ＰＤＡのように、電子カメラの液晶モニタをタッチパネルで構成し、スタイラスペンで文字データを入力できるようにすることが好ましい。あるいは、キーボード等の入力手段を接続して、文字データの入力ができるようにすることが好ましい。
【００８４】
また、電子カメラにスケジュールの入力機能を持たせる場合は、ＰＣ等の外部機器とそのスケジュールデータを共有できるようにすることが好ましい。すなわち、電子カメラで入力したスケジュールとＰＣ等で入力されたスケジュール等が同じになるように、スケジュールを同期させる機能を持たせることが好ましい。
【００８５】
また、本実施の形態では、電子カメラにスケジュール表示機能を持たせ、ＰＣ等から取得したスケジュールデータを液晶モニタ３０に表示できるようにしているが、スケジュールデータは「記録様式設定スケジュール」の作成にのみ使用し、液晶モニタ３０への表示はしないようにしてもよい。
【００８６】
さらに、本実施の形態では、スケジュールに応じて設定すべき記録様式を定めた「記録様式設定データ」に基づいて「スケジュールデータ」から「記録様式設定スケジュール」を作成しているが、「記録様式設定データ」は、ユーザが任意に編集できるようにすることが好ましい。すなわち、ユーザが任意に「スケジュール」と、その「スケジュール」に対応する「記録様式」を設定できるようにすることが好ましい。たとえば、ＰＣ等で「記録様式設定データ」を編集し、その編集した「記録様式設定データ」を電子カメラ１０に取り込むようにする。また、電子カメラ上で編集できるようにしてもよい。
【００８７】
また、本実施の形態では、スケジュールデータに登録されたスケジュールに応じて記録様式、すなわち、画像サイズと圧縮率を自動的に切り替えるようにしているが、画像サイズのみ、あるいは圧縮率のみ自動的に切り替えるようにしてもよい。
【００８８】
また、本実施の形態では、スケジュールデータに登録されたスケジュールに応じて記録様式を自動的に切り替えるようにしているが、スケジュールに応じて撮影条件を自動的に切り替えるようにしてもよい。たとえば、スケジュールに応じてフラッシュモード（オート、強制発光、赤目軽減発光、スローシンクロ、発光禁止）を自動的に切り替えたり、ポートレート撮影モードやマクロ撮影モード、風景撮影モード等の撮影モードを自動的に切り替えたり、絞り優先ＡＥやシャッター速度優先ＡＥ等の露出モードを自動的に切り替えたりするようにしてもよい。この場合も上述した実施の形態と同様にスケジュールに応じて設定すべき撮影条件の一覧を「撮影条件設定データ」として作成し、この「撮影条件設定データ」に基づいて「スケジュールデータ」から「撮影条件設定スケジュール」を作成する。
【００８９】
また、動画撮影が可能な電子カメラにおいては、フレームレートや画像サイズ等の記録様式をスケジュールに応じて自動的に切り替えるようにしてもよい。
【００９０】
また、本実施の形態では、本発明を電子カメラに適用した場合を例に説明したが、本発明の適用は、これに限られるものではなく、ビデオカメラの他、撮影機能を備えた電子機器全般に適用することができる。たとえば、撮影機能を備えた携帯電話、ノートパソコン、ＰＤＡ等にも同様に適用することができる。
【図面の簡単な説明】
【００９１】
【図１】本発明が適用された電子カメラの一実施形態を示す正面図
【図２】本発明が適用された電子カメラの一実施形態を示す左側面図
【図３】本発明が適用された電子カメラの一実施形態を示す背面図
【図４】本発明が適用された電子カメラの一実施形態を示す右側面図
【図５】本発明が適用された電子カメラの内部構成を示すブロック図
【図６】スケジュールの表示例を示す図
【図７】記録様式設定画面の表示例を示す図
【図８】スケジュールデータ、記録様式設定データ、記録様式設定スケジュールを示す図
【符号の説明】
【００９２】
１０…電子カメラ、１２…カメラボディ、１４…撮影レンズ、１６…ストロボ、１８…ストロボ調光センサ、２０…バッテリカバー、２２…レリーズボタン、２４…ズームレバー、２６…ストロボボタン、２８…マクロボタン、３０…液晶モニタ、３２…表示ボタン、３４…メニュー／ＯＫボタン、３６…十字ボタン、３８…ＢＡＣＫボタン、４０…電源ボタン、４２…モードスイッチ、４４…スピーカ、４６…映像出力端子、４８…ＵＳＢ端子、４９…電源入力端子、５０…中央処理装置（ＣＰＵ）、５２…ＲＯＭ、５４…ＲＡＭ、５６…ＥＥＰＲＯＭ、５８…ＣＣＤ、６０…アナログ処理部、６２…Ａ／Ｄ変換器、６４…画像入力コントローラ、６６…画像処理部、６８…圧縮伸張部、７８…ＶＲＡＭ、８０…ビデオエンコーダ、８２…メモリコントローラ、８４…記録メディア、８６…ＵＳＢインターフェイス、８８…タイマ、９０…Ｄ／Ａ変換器、９２…タイミングジェネレータ（ＴＧ）、９４…操作部、９６…ストロボ制御部
【図１】
2005080058.tif 000003
【図２】
2005080058.tif 000004
【図３】
2005080058.tif 000005
【図４】
2005080058.tif 000006
【図５】
2005080058.tif 000007
【図６】
2005080058.tif 000008
【図７】
2005080058.tif 000009
【図８】
2005080058.tif 000010